(57)【要約】【課題】伝送損失の増大や心線破断の回避が可能であり、配線に係る作業性が向上する情報コンセント用仕切り板及び情報コンセントを提供する。【解決手段】情報コンセント１を構成する裏ボックス４に対して取り付け可能に形成され、且つ、光・通信複合ケーブル２を構成する光ファイバ心線２０と、その光ファイバ心線２０とは別の他のケーブルとを分けるための、光ファイバ心線２０の余長２１に対する余長収納手段を一方の面に有するとともに、一方の面側から他方の面側に光ファイバ心線２０の端末部分２３を引き出し可能とする情報コンセント用仕切り板５を備える。【選択図】    図１
2005017508.tif 000002
【特許請求の範囲】
【請求項１】
情報コンセントを構成する裏ボックスに対して取り付け可能に形成され、且つ、光・通信複合ケーブルを構成する光ファイバ心線と、該光ファイバ心線とは別の他のケーブルとを分けるための、前記光ファイバ心線の余長に対する余長収納手段を一方の面に有するとともに、該一方の面側から他方の面側に前記光ファイバ心線の端末部分を引き出し可能とした
ことを特徴とする情報コンセント用仕切り板。
【請求項２】
請求項１に記載の情報コンセント用仕切り板において、
前記余長収納手段として略環状の余長収納溝を備えた
ことを特徴とする情報コンセント用仕切り板。
【請求項３】
請求項２に記載の情報コンセント用仕切り板において、
前記余長収納溝を、前記光ファイバ心線の最小曲げ半径を確保する大きさに形成した
ことを特徴とする情報コンセント用仕切り板。
【請求項４】
請求項２又は請求項３に記載の情報コンセント用仕切り板において、
前記余長収納手段として前記光ファイバ心線の前記端末部分を保持するための端末保持部を更に備えた
ことを特徴とする情報コンセント用仕切り板。
【請求項５】
請求項４に記載の情報コンセント用仕切り板において、
前記端末保持部に保持される箇所を、前記光ファイバ心線の端末と該端末に接続される光コネクタ付きコードとの接続箇所とした
ことを特徴とする情報コンセント用仕切り板。
【請求項６】
請求項１ないし請求項５いずれか記載の情報コンセント用仕切り板において、
前記裏ボックスに対して着脱自在に形成した
ことを特徴とする情報コンセント用仕切り板。
【請求項７】
請求項１ないし請求項６いずれか記載の情報コンセント用仕切り板において、
前記一方の面側から前記他方の面側に前記光ファイバ心線の前記端末部分を引き出しするための端末通過穴を複数個貫通形成した
ことを特徴とする情報コンセント用仕切り板。
【請求項８】
請求項１ないし請求項７いずれか記載の情報コンセント用仕切り板と、該情報コンセント用仕切り板が取り付けられる裏ボックスと、複数のコンセントを有し且つ前記裏ボックスの前面に取り付けられるコンセント化粧板と、を備えて構成した
ことを特徴とする情報コンセント。
【発明の詳細な説明】
【０００１  】
【発明の属する技術分野】
本発明は、光・通信複合ケーブルを利用した情報配線に用いる情報コンセント、及びその情報コンセントに用いるための情報コンセント用仕切り板に関する。
【０００２  】
【従来の技術】
近年、オフィスや一般家庭において、各種の情報機器（家電機器も含む）が普及している。その情報機器には、オフィスや一般家庭の壁に設置された情報コンセント（例えば特許文献１参照）を介して、文字、音声、映像等の各種データが伝送されるようになっている。
【０００３  】
【特許文献１】
特開平６−１６０６６９号公報  （第２頁、第１図）
【０００４  】
【発明が解決しようとする課題】
ところで、壁の裏側から光・通信複合ケーブルや電力ケーブルを引き込んで、光コンセント、同軸及び電話コンセント、電源コンセントを一体的に有する情報コンセントを構成しようとする場合には、次のような問題点が生じていた。
【０００５  】
すなわち、情報コンセントを構成する裏ボックス内に、光・通信複合ケーブルの端末を構成する光ファイバ心線と、同軸・電話・ＬＡＮ等のメタル線とが無造作に収納されてしまう恐れがあり、このような収納がなされた場合に、光ファイバ心線に対してメタル線からの干渉による側圧が加わって、伝送損失の増大や心線破断を引き起こしてしまう可能性があった。また、光ファイバ心線やメタル線の配線に係る作業性が悪くなってしまうという問題点もあった。
【０００６  】
本発明は、上述した事情に鑑みてなされるもので、伝送損失の増大や心線破断の回避が可能であり、配線に係る作業性が向上する情報コンセント用仕切り板及び情報コンセントを提供することを課題とする。
【０００７  】
【課題を解決するための手段】
上記課題を解決するためなされた請求項１記載の本発明の情報コンセント用仕切り板は、情報コンセントを構成する裏ボックスに対して取り付け可能に形成され、且つ、光・通信複合ケーブルを構成する光ファイバ心線と、該光ファイバ心線とは別の他のケーブルとを分けるための、前記光ファイバ心線の余長に対する余長収納手段を一方の面に有するとともに、該一方の面側から他方の面側に前記光ファイバ心線の端末部分を引き出し可能としたことを特徴としている。
【０００８  】
請求項２記載の本発明の情報コンセント用仕切り板は、請求項１に記載の情報コンセント用仕切り板において、前記余長収納手段として略環状の余長収納溝を備えたことを特徴としている。
【０００９  】
請求項３記載の本発明の情報コンセント用仕切り板は、請求項２に記載の情報コンセント用仕切り板において、前記余長収納溝を、前記光ファイバ心線の最小曲げ半径を確保する大きさに形成したことを特徴としている。
【００１０  】
請求項４記載の本発明の情報コンセント用仕切り板は、請求項２又は請求項３に記載の情報コンセント用仕切り板において、前記余長収納手段として前記光ファイバ心線の前記端末部分を保持するための端末保持部を更に備えたことを特徴としている。
【００１１  】
請求項５記載の本発明の情報コンセント用仕切り板は、請求項４に記載の情報コンセント用仕切り板において、前記端末保持部に保持される箇所を、前記光ファイバ心線の端末と該端末に接続される光コネクタ付きコードとの接続箇所としたことを特徴としている。
【００１２  】
請求項６記載の本発明の情報コンセント用仕切り板は、請求項１ないし請求項５いずれか記載の情報コンセント用仕切り板において、前記裏ボックスに対して着脱自在に形成したことを特徴としている。
【００１３  】
請求項７記載の本発明の情報コンセント用仕切り板は、請求項１ないし請求項６いずれか記載の情報コンセント用仕切り板において、前記一方の面側から前記他方の面側に前記光ファイバ心線の前記端末部分を引き出しするための端末通過穴を複数個貫通形成したことを特徴としている。
【００１４  】
上記課題を解決するためなされた請求項８記載の本発明の情報コンセントは、請求項１ないし請求項７いずれか記載の情報コンセント用仕切り板と、該情報コンセント用仕切り板が取り付けられる裏ボックスと、複数のコンセントを有し且つ前記裏ボックスの前面に取り付けられるコンセント化粧板と、を備えて構成したことを特徴としている。
【００１５  】
請求項１に記載された本発明によれば、その一方の面において光ファイバ心線の余長が収納され、他方の面からは光ファイバ心線の端末部分が引き出されるようになっている。このような構造を有する本発明の情報コンセント用仕切り板は、情報コンセントを構成する裏ボックスにおいて、光ファイバ心線と他のケーブルとを分けて収納することができるように機能している。従って、本発明の情報コンセント用仕切り板により、裏ボックス内に引き込まれた光ファイバ心線は、他のケーブルからの干渉による側圧を受けることがなく、その結果、伝送損失の増大や心線破断が回避されるようになっている。また、光ファイバ心線や他のケーブルの配線に係る作業性が向上するようになっている。
【００１６  】
請求項２に記載された本発明によれば、略環状の余長収納溝に光ファイバ心線の余長が収納されるようになっている。すなわち、このような構造を有する本発明の情報コンセント用仕切り板は、他のケーブルとの干渉を余長収納溝により回避して、他のケーブルからの側圧を受け難くするようになっている。
【００１７  】
請求項３に記載された本発明によれば、光ファイバ心線の最小曲げ半径が確保された状態で、光ファイバ心線の余長が余長収納溝に収納されるようになっている。
【００１８  】
請求項４に記載された本発明によれば、光ファイバ心線が余長収納溝に収納される他に、光ファイバ心線の端末部分も端末保持部に保持されるようになっている。すなわち、このような構造を有する本発明の情報コンセント用仕切り板は、余長の収納のみならず、光ファイバ心線の端末部分の保持も行えるようになっている。
【００１９  】
請求項５に記載された本発明によれば、光ファイバ心線の端末と光コネクタ付きコードとの接続箇所が端末保持部に保持されるようになっている。すなわち、このような構造を有する本発明の情報コンセント用仕切り板は、光コネクタ付きコードとの接続箇所を保持してその部分の品質を維持するようになっている。
【００２０  】
請求項６に記載された本発明によれば、裏ボックスに対して取り付けたり取り外したりすることができるようになっている。すなわち、このような構造を有する本発明の情報コンセント用仕切り板は、光ファイバ心線や他のケーブルの配線に係る作業性をより一層向上させるようになっている。
【００２１  】
請求項７に記載された本発明によれば、光ファイバ心線の端末部分をその長さに応じた位置で引き出しすることができるようになっている。すなわち、このような構造を有する本発明の情報コンセント用仕切り板は、光ファイバ心線の配線に係る作業性をより一層向上させるようになっている。
【００２２  】
請求項８に記載された本発明によれば、請求項１ないし請求項７いずれか記載の情報コンセント用仕切り板を備えていることから、伝送損失の増大や心線破断が回避されるようになっている。また、光ファイバ心線や他のケーブルの配線に係る作業性が向上するようになっている。
【００２３  】
【発明の実施の形態】
以下、図面を参照して本発明の実施の形態を説明する。
図１は本発明の情報コンセントの一実施の形態を示す構成説明図である。また、図２は図１の要部断面図、図３は光・通信複合ケーブルの構成説明図、図４は本発明の情報コンセント用仕切り板を取り付けた状態の裏ボックスの平面図、図５は情報コンセント用仕切り板の平面図、図６は情報コンセント用仕切り板の背面図、図７は情報コンセント用仕切り板の側面図、図８及び９は情報コンセント用仕切り板の取り付け説明図である。
【００２４  】
図１及び図２において、引用符号１はオフィスや一般家庭の壁に設置される本発明の情報コンセントを示している。その情報コンセント１は、上記壁の裏側に配索される光・通信複合ケーブル２や電力ケーブル（ＶＶＦケーブル）３の各端末を引き込んで、各端末との接続がなされるように構成されている。
【００２５  】
すなわち、本発明の情報コンセント１は、上記壁の裏側において固定される裏ボックス４と、裏ボックス４内に取り付けられる本発明の情報コンセント用仕切り板５と、上記壁から露出するように裏ボックス４の前面に取り付けられるコンセント化粧板６とを備えて構成されている。以下、上記各構成部材について詳細に説明する。
【００２６  】
図３において、上記光・通信複合ケーブル２は、電話ケーブル７と、ＬＡＮケーブル８と、同軸ケーブル９と、光ケーブル１０、１０と、これらを一括して押さえ巻き処理するための押さえ巻きテープ１１と、ケーブル間の空隙に充填される介在物１２と、押さえ巻きテープ１１の上から一括して被覆されるシース１３とを備えて構成されている。尚、これら構成については、既知のものであるため、その説明を省略するものとする（上記電力ケーブル３も既知のものであるため、同様に説明を省略する）。
【００２７  】
図４において、上記裏ボックス４は、その前面を開放するように形成される矩形状の金属製箱部材であって、底壁１４と、その底壁１４の周縁に起立連成される四つの側壁１５とを有している。このような裏ボックス４の設置時における上下方向の側壁１５、１５には、光・通信複合ケーブル２の端末を引き込むための複数（上下二つずつ）のケーブル挿入口１６が一体に形成されている。また、上側の側壁１５には、電力ケーブル３の端末を引き込むための電力ケーブル挿入口（不図示）が形成されている。
【００２８  】
複数のケーブル挿入口１６は、それぞれ略円筒形状に形成されており、その先端側にはケーブル固定具１７が一体に設けられている。複数のケーブル挿入口１６は、特に限定されるものではないが、本形態において図１に示される如く裏ボックス４の右側に配置形成されている。これに対して、上記電力ケーブル挿入口（不図示）は、裏ボックス４の左側に配置形成されている。
【００２９  】
裏ボックス４における上記上下方向の側壁１５、１５の開放側端部には、コンセント化粧板６に対する複数の固定部１８が設けられている。また、上記上下方向の側壁１５、１５の右側であって中間部には、情報コンセント用仕切り板５に対する複数の仕切板固定部１９（図８参照）が設けられている。
【００３０  】
図４ないし図９において、上記情報コンセント用仕切り板５は、合成樹脂製の板状部材であって、平面視矩形状に形成されている（長手方向が上記上下方向に一致するような矩形状に形成されている）。このような情報コンセント用仕切り板５には、その一方の面となる裏面に、光ケーブル１０の光ファイバ心線２０の余長２１を収納するための余長収納溝２２と、光ファイバ心線２０の端末部分２３を保持するための端末保持部２４とが形成されている。また、情報コンセント用仕切り板５には、その表裏面を貫通する複数の端末通過穴２５と、裏ボックス４の対応する仕切板固定部１９に係合する複数の固定部２６とが形成されている。
【００３１  】
余長収納溝２２は、情報コンセント用仕切り板５の裏面に対して垂直に突出する複数の壁で区画形成されている。すなわち、余長収納溝２２は、図示のような溝に形成されている。また、余長収納溝２２は、情報コンセント用仕切り板５の中央を中心にして略環状に形成されている。さらに、余長収納溝２２は、光ファイバ心線２０の最小曲げ半径を確保する大きさに形成されている。
【００３２  】
このような余長収納溝２２には、その余長収納溝２２に連続するような四つの心線引き込み口２７と、同じく四つの心線引き出し口２８とが形成されている。四つの心線引き込み口２７は、それぞれケーブル挿入口１６の位置に合わせて形成されている。また、四つの心線引き出し口２８は、心線引き込み口２７の位置に合わせてその心線引き込み口２７の内側に形成されている。尚、数は四つに限らないものとする。
【００３３  】
余長収納溝２２は、その余長収納溝２２に収納される光ファイバ心線２０の余長２１が他のケーブル（７、８、９）と干渉しないように形成されている。尚、余長収納溝２２は、特許請求の範囲に記載した余長収納手段として形成されている。
【００３４  】
端末保持部２４は、情報コンセント用仕切り板５の中央に形成されている。すなわち、端末保持部２４は、余長収納溝２２よりも内側に形成されている。また、端末保持部２４は、光ファイバ心線２０の端末部分２３（具体的には光ファイバ心線２０の端末と光コネクタ付きコード２９との接続箇所：融着やメカニカルスプライス等により接続された箇所）を挟み込んで保持するような溝であって、上記上下方向に沿って複数形成されている。端末保持部２４は、余長収納溝２２と同様に、特許請求の範囲に記載した余長収納手段として形成されている。
【００３５  】
複数の端末通過穴２５は、情報コンセント用仕切り板５の裏面側から表面側に光ファイバ心線２０の端末部分２３を引き出しするための部分であって、余長収納溝２２と端末保持部２４との間に配置形成されている。本形態においては、上記上下方向に一つずつ、左右方向に一つずつの合計四つが形成されている（端末通過穴２５の配置はこの限りでないものとする）。端末通過穴２５は、光コネクタ付きコード２９の長さや後述する光コンセント３１の配置に応じて形成されている。また、端末通過穴２５は、光コネクタ付きコード２９の端末に取り付けられた光コネクタ３０の挿通が可能な大きさに形成されている。
【００３６  】
複数の固定部２６は、既知のロック構造を有しており、図８及び図９に示されるような状態で裏ボックス４の対応する仕切板固定部１９に係合するようになっている。情報コンセント用仕切り板５は、裏ボックス４に対して着脱自在となるように形成されている。
【００３７  】
図１に戻り、上記コンセント化粧板６は、裏ボックス４の前面の開放形状に合わせて形成されている。すなわち、コンセント化粧板６は、矩形状に形成されている。このようなコンセント化粧板６には、既知の光コンセント３１と、既知の同軸及び電話コンセント３２と、既知の電源コンセント３３とが設けられている。また、コンセント化粧板６の裏面には、裏ボックス４の対応する固定部１７に係合する複数の化粧板側固定部（不図示）が設けられている。
【００３８  】
尚、光コンセント３１には、光コネクタ付きコード２９の光コネクタ３０が配置固定されるようになっている。また、同軸及び電話コンセント３２には、電話ケーブル７や同軸ケーブル９が接続されるようになっている。さらに、電源コンセント３３には、電力ケーブル３が接続されるようになっている。電話ケーブル７や同軸ケーブル９は、情報コンセント用仕切り板５の余長収納溝２２と裏ボックス４の底壁１４との間に収納されるようになっている。
【００３９  】
上記構成において、情報コンセント１は、情報コンセント用仕切り板５を有することから、その情報コンセント用仕切り板５の余長収納溝２２に光ファイバ心線２０の余長２１を収納することができる。具体的には、余長収納溝２２の形状に合わせて巻き付けるような状態で、且つ光ファイバ心線２０の最小曲げ半径を確保した状態で、且つ他のケーブル（電話ケーブル７、ＬＡＮケーブル８、同軸ケーブル９）と干渉しないような状態で、余長２１を収納することができる。
【００４０  】
従って、裏ボックス４内に引き込まれた光・通信複合ケーブル２の光ファイバ心線２０は、他のケーブルからの側圧を受けることがなく、その結果、伝送損失の増大や心線破断を回避することができる。
【００４１  】
また、情報コンセント１は、情報コンセント用仕切り板５を有することから、裏ボックス４内のケーブル収納状態を向上させることができる。従って、光ファイバ心線２０や他のケーブル（電話ケーブル７、ＬＡＮケーブル８、同軸ケーブル９）の配線に係る作業性を格段に向上させることができる。
【００４２  】
その他、本発明は本発明の主旨を変えない範囲で種々変更実施可能なことは勿論である。
【００４３  】
【発明の効果】
以上説明したように、請求項１に記載された本発明によれば、伝送損失の増大や心線破断の回避が可能であり、配線に係る作業性が向上する情報コンセント用仕切り板を提供することができるという効果を奏する。
【００４４  】
請求項２に記載された本発明によれば、他のケーブルとの干渉を回避することができる。従って、他のケーブルからの側圧を受け難くすることができるという効果を奏する。
【００４５  】
請求項３に記載された本発明によれば、光ファイバ心線の最小曲げ半径を確保することができる。従って、伝送損失の増大や心線破断をより一層回避することができるという効果を奏する。
【００４６  】
請求項４に記載された本発明によれば、余長の収納のみならず光ファイバ心線の端末部分の保持も行うことができるという効果を奏する。
【００４７  】
請求項５に記載された本発明によれば、光コネクタ付きコードとの接続箇所を保持してその部分の品質を維持することができるという効果を奏する。
【００４８  】
請求項６に記載された本発明によれば、光ファイバ心線や他のケーブルの配線に係る作業性をより一層向上させることができるという効果を奏する。
【００４９  】
請求項７に記載された本発明によれば、光ファイバ心線の配線に係る作業性をより一層向上させることができるという効果を奏する。
【００５０  】
請求項８に記載された本発明によれば、伝送損失の増大や心線破断の回避が可能であり、配線に係る作業性が向上する情報コンセントを提供することができるという効果を奏する。
【図面の簡単な説明】
【図１】本発明による情報コンセントの一実施の形態を示す構成説明図である。
【図２】図１の要部断面図である。
【図３】光・通信複合ケーブルの構成説明図である。
【図４】本発明の情報コンセント用仕切り板を取り付けた状態の裏ボックスの平面図である。
【図５】情報コンセント用仕切り板の平面図である。
【図６】情報コンセント用仕切り板の背面図である。
【図７】情報コンセント用仕切り板の側面図である。
【図８】情報コンセント用仕切り板の取り付け説明図（取り付け前）である。
【図９】情報コンセント用仕切り板の取り付け説明図（取り付け後）である。
【符号の説明】
１  情報コンセント
２  光・通信複合ケーブル
３  電力ケーブル
４  裏ボックス
５  情報コンセント用仕切り板
６  コンセント化粧板
７  電話ケーブル
８  ＬＡＮケーブル
９  同軸ケーブル
１０  光ケーブル
１１  押さえ巻きテープ
１２  介在物
１３  シース
１４  底壁
１５  側壁
１６  ケーブル挿入口
１７  ケーブル固定具
１８  固定部
１９  仕切板固定部
２０  光ファイバ心線
２１  余長
２２  余長収納溝（余長収納手段）
２３  端末部分
２４  端末保持部（余長収納手段）
２５  端末通過穴
２６  固定部
２７  心線引き込み口
２８  心線引き出し口
２９  光コネクタ付きコード
３０  光コネクタ
３１  光コンセント（コンセント）
３２  同軸及び電話コンセント（コンセント）
３３  電源コンセント（コンセント）
【図１】
2005017508.tif 000003
【図２】
2005017508.tif 000004
【図３】
2005017508.tif 000005
【図４】
2005017508.tif 000006
【図５】
2005017508.tif 000007
【図６】
2005017508.tif 000008
【図７】
2005017508.tif 000009
【図８】
2005017508.tif 000010
【図９】
2005017508.tif 000011